(57)【特許請求の範囲】
【請求項１】
設定画像を生成するための設定画像データを記憶する記憶部と、
前記設定画像データの解像度を判定する解像度判定部と、
前記設定画像の設定解像度を示す設定解像度情報を入力する情報入力部と、
前記設定画像データの解像度と前記設定画像の設定解像度との比を表す相違度が第１の基準値を超えるかどうかを判定する相違判定部と、
前記設定画像を生成して前記設定画像を含む所定解像度の初期画像を生成する処理を行う画像生成部と、
起動時または前記初期画像の投写指示時に前記初期画像を投写する投写部と、
を含み、
前記画像生成部は、
前記相違度が前記第１の基準値を超える場合、前記解像度判定部によって判定された前記設定画像データの解像度で前記設定画像を生成し、
前記相違度が前記第１の基準値を超えない場合、前記設定画像データの解像度の設定画像のうち前記設定解像度に対応する領域の画像を前記設定画像として生成することを特徴とするプロジェクタ。
【請求項２】
請求項１に記載のプロジェクタにおいて、
前記設定画像データを入力して前記記憶部に記憶する画像データ入力部を含むことを特徴とするプロジェクタ。
【請求項３】
請求項１、２のいずれかに記載のプロジェクタにおいて、
前記投写部は、前記設定解像度を設定するための解像度設定画像を投写し、
前記情報入力部は、前記解像度設定画像において設定された設定解像度を示す設定解像度情報を入力することを特徴とするプロジェクタ。
【請求項４】
請求項１〜３のいずれかに記載のプロジェクタにおいて、
前記相違判定部は、前記設定画像データの水平解像度と前記設定画像の設定水平解像度との比を表す相違度が第２の基準値を超える場合または前記設定画像データの垂直解像度
と前記設定画像の設定垂直解像度との比を表す相違度が第３の基準値を超える場合に前記相違度が前記第１の基準値を超えると判定することを特徴とするプロジェクタ。
【請求項５】
記憶部および投写部を含むプロジェクタの有するコンピュータにより読み取り可能なプログラムであって、
前記コンピュータを、
設定画像を生成するための設定画像データを前記記憶部に記憶する記憶制御部と、
前記設定画像データの解像度を判定する解像度判定部と、
前記設定画像の設定解像度を示す設定解像度情報を入力する情報入力部と、
前記設定画像データの解像度と前記設定画像の設定解像度との比を表す相違度が第１の基準値を超えるかどうかを判定する相違判定部と、
前記設定画像を生成して前記設定画像を含む所定解像度の初期画像を生成する処理を行う画像生成部と、
起動時または前記初期画像の投写指示時に前記初期画像を前記投写部に投写させる投写制御部として機能させ、
前記画像生成部は、
前記相違度が前記第１の基準値を超える場合、前記解像度判定部によって判定された前記設定画像データの解像度で前記設定画像を生成し、
前記相違度が前記第１の基準値を超えない場合、前記設定画像データの解像度の設定画像のうち前記設定解像度に対応する領域の画像を前記設定画像として生成することを特徴とするプログラム。
【請求項６】
プロジェクタによる投写方法において、
設定画像を生成するための設定画像データの解像度を判定し、
前記設定画像の設定解像度を設定するための解像度設定画像を投写し、
前記解像度設定画像において設定された設定解像度を示す設定解像度情報を入力し、
前記設定画像データの解像度と前記設定画像の設定解像度との比を表す相違度が第１の基準値を超えるかどうかを判定し、
前記相違度が前記第１の基準値を超える場合、判定された前記設定画像データの解像度で前記設定画像を生成して前記設定画像を含む所定解像度の初期画像を生成し、前記相違度が前記第１の基準値を超えない場合、前記設定画像データの解像度の設定画像のうち前記設定解像度に対応する領域の画像を前記設定画像として生成して前記設定画像を含む所定解像度の初期画像を生成し、
前記プロジェクタの起動時または前記初期画像の投写指示時に前記初期画像を投写することを特徴とする投写方法。
【発明の詳細な説明】
【技術分野】
【０００１】
本発明は、画像の解像度を調整するプロジェクタ、プログラムおよび投写方法に関する。
【背景技術】
【０００２】
起動時にメーカ名やユーザロゴ等を投写するプロジェクタが提供されている。例えば、特開２００１−９２４０８号公報では、ユーザロゴ等の画像データ（設定画像データ）をフラッシュＲＯＭに書き込むプロジェクタが記載されている。
【０００３】
また、特開２００７−１４０１８０号公報に記載されているように、特殊な画像信号に対応する等の理由により、ユーザに表示時の解像度を設定させる場合もある。
【特許文献１】特開２００１−９２４０８号公報
【特許文献２】特開２００７−１４０１８０号公報
【発明の開示】
【発明が解決しようとする課題】
【０００４】
このような設定画像データに基づく設定画像が投写される場合、元の設定画像データの解像度に関わらず、固定された解像度で設定画像が投写されていた。しかし、実際には、元の設定画像データの解像度は固定されておらず、固定された解像度で投写されてしまうと、元の設定画像データの情報の一部が欠落してしまう可能性がある。具体的には、例えば、元の設定画像データの解像度が８００×７００画素で、固定された解像度が８００×６００画素の場合、８００×１００画素分の情報が欠落してしまう。
【０００５】
また、ユーザによってプロジェクタの表示解像度が設定される場合、設定解像度が標準的な解像度でない状況もある。具体的には、例えば、元の設定画像データを表示するための固定された解像度が８００×６００画素で、設定解像度が８００×５００画素である場合、プロジェクタが設定解像度で設定画像を投写すると８００×１００画素分の情報が欠落してしまう。
【０００６】
また、元の設定画像データの解像度と設定解像度との相違に応じて元の設定画像データを変形（画素の間引き、補間等）することも考えられるが、設定画像データを変形すると画質が劣化してしまう。
【０００７】
本発明の目的は、設定画像データに基づく画像を投写する場合に、所望の設定解像度で画像を投写することが可能なプロジェクタ、プログラムおよび投写方法を提供することにある。
【課題を解決するための手段】
【０００８】
上記課題を解決するため、本発明に係るプロジェクタは、設定画像を生成するための設定画像データを記憶する記憶部と、前記設定画像の設定解像度で前記設定画像を生成して前記設定画像を含む初期画像を生成する処理または前記初期画像の設定解像度で前記初期画像を生成する処理を、前記設定画像データに基づいて実行する画像生成部と、起動時または前記初期画像の投写指示時に前記初期画像を投写する投写部と、を含むことを特徴とする。
【０００９】
また、本発明に係るプログラムは、記憶部および投写部を含むプロジェクタの有するコンピュータにより読み取り可能なプログラムであって、前記コンピュータを、設定画像を生成するための設定画像データを前記記憶部に記憶する記憶制御部と、前記設定画像の設定解像度で前記設定画像を生成して前記設定画像を含む初期画像を生成する処理または前記初期画像の設定解像度で前記初期画像を生成する処理を、前記設定画像データに基づいて実行する画像生成部と、起動時または前記初期画像の投写指示時に前記初期画像を前記投写部に投写させる投写制御部として機能させることを特徴とする。
【００１０】
また、本発明に係る投写方法は、プロジェクタによる投写方法において、設定画像の設定解像度または前記設定画像を含む初期画像の設定解像度を設定するための解像度設定画像を投写し、前記設定解像度を示す設定解像度情報を入力し、前記設定解像度で前記設定画像を生成して前記初期画像を生成する処理または前記初期画像の設定解像度で前記初期画像を生成する処理を、前記設定画像を生成するための設定画像データに基づいて実行し、前記プロジェクタの起動時または前記初期画像の投写指示時に前記初期画像を投写することを特徴とする。
【００１１】
本発明によれば、プロジェクタは、設定画像データに基づく設定画像を投写する場合に、所望の設定解像度で設定画像を投写することができる。
【００１２】
また、前記プロジェクタは、前記設定画像データを入力して前記記憶部に記憶する画像データ入力部を含んでもよい。
【００１３】
これによれば、プロジェクタは、更新可能な設定画像データに基づく設定画像を投写する場合に、所望の設定解像度で設定画像を投写することができる。
【００１４】
また、前記プロジェクタは、前記設定解像度を示す設定解像度情報を入力する情報入力部を含み、前記投写部は、前記設定解像度を設定するための解像度設定画像を投写してもよい。
【００１５】
これによれば、プロジェクタは、ユーザによって設定される設定解像度で設定画像を投写することができる。
【００１６】
また、前記プロジェクタは、前記設定画像データの解像度を判定する解像度判定部と、前記設定画像データの解像度と前記設定画像の設定解像度との相違度が第１の基準値を超えるかどうかを判定する相違判定部と、を含み、前記画像生成部は、前記相違度が前記第１の基準値を超える場合、前記解像度判定部によって判定された前記設定画像データの解像度で前記設定画像を生成し、前記相違度が前記第１の基準値を超えない場合、前記設定画像データの設定解像度で前記設定画像を生成してもよい。
【００１７】
これによれば、プロジェクタは、画質の劣化や情報の欠落を抑制しつつ、所望の設定解像度または元の設定画像の解像度で画像を投写することができる。
【００１８】
また、前記相違判定部は、前記設定画像データの水平解像度と前記設定画像の設定水平解像度との相違度が第２の基準値を超える場合または前記設定画像データの垂直解像度と前記設定画像の設定垂直解像度との相違度が第３の基準値を超える場合に前記相違度が前記第１の基準値を超えると判定してもよい。
【００１９】
これによれば、プロジェクタは、画質の劣化や情報の欠落を抑制しつつ、所望の設定解像度または元の設定画像の解像度で画像を投写することができる。
【発明を実施するための最良の形態】
【００２０】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例における初期画像３００の投写状況を示す図である。プロジェクタ１００は、起動時や投写指示時にスクリーン１０へ向け初期画像３００を投写する。初期画像３００は、ユーザロゴ等を示す設定画像３１０を含む。本実施例のプロジェクタ１００は、設定画像３１０の解像度を任意に設定できる機能、設定画像３１０の実際の解像度と設定解像度との相違に応じて設定画像３１０の解像度を調整する機能等を有する。
【００２２】
次に、このような機能を有するプロジェクタ１００の機能ブロックについて説明する。図２は、第１の実施例におけるプロジェクタ１００の機能ブロック図である。プロジェクタ１００は、ＰＣ(Personal Computer)等から種々の画像データ（例えば、ＲＧＢ信号等）を入力する画像データ入力部１１０と、ユーザによる設定解像度を示す設定解像度情報等を入力する情報入力部１２０と、種々のデータを記憶する記憶部１３０と、解像度判定部１４０と、相違判定部１５０と、画像生成部１６０と、投写部１９０を含んで構成されている。
【００２３】
また、記憶部１３０は、設定画像３１０を生成するための設定画像データ１３１、設定画像３１０の実際の解像度を示す実解像度データ１３２、設定画像３１０の設定解像度を示す設定解像度データ１３３、投写時の設定画像３１０の解像度を示す決定解像度データ１３４、解像度設定画像を生成するための解像度設定画像データ１３５等を記憶している。
【００２４】
また、これらの各部の機能をプロジェクタ１００に実装するためのハードウェアとしては、例えば、以下のものが採用されてもよい。例えば、画像データ入力部１１０としては画像信号入力端子、ＡＤコンバータ等、情報入力部１２０としてはキー、リモートコントローラ（リモコン）等、記憶部１３０としては不揮発性メモリ、ＨＤＤ等、解像度判定部１４０、相違判定部１５０としてはＣＰＵ等、画像生成部１６０としては画像処理回路等、投写部１９０としてはランプ、液晶パネル、駆動回路、投写レンズ等が採用されてもよい。
【００２５】
また、プロジェクタ１００は、これらの各部の機能をプロジェクタ１００に実装するためのプログラムを情報記憶媒体２００から読み取ることにより、各部の機能を実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２６】
次に、これらの各部を用いた処理手順について説明する。なお、本実施例では、プロジェクタ１００は、まず、準備段階として、ユーザに設定画像データ１３１および設定解像度を入力させ、実解像度と設定解像度に応じて決定解像度データ１３４を生成する。
【００２７】
図３は、第１の実施例における準備段階での処理手順を示すフローチャートである。ユーザは、ＰＣを操作してプロジェクタ１００の起動時等に投写する設定画像３１０を決定し、ＰＣからプロジェクタ１００に設定画像データ１３１を出力する。画像データ入力部１１０は、ＰＣから設定画像データ１３１を入力し、記憶部１３０に記憶する（ステップＳ１）。
【００２８】
解像度判定部１４０は、設定画像データ１３１に基づき、設定画像３１０の実際の解像度（実解像度）を判定し、実解像度データ１３２として記憶部１３０に記憶する（ステップＳ２）。なお、本実施例では、初期画像３００の解像度は１９２０×１０８０画素、設定画像３１０の実解像度は１０２４×７６８画素であるものとする。
【００２９】
また、ユーザは、ＰＣを用いて設定画像３１０の表示したい解像度をプロジェクタ１００に設定する。画像生成部１６０は、ＰＣから解像度の設定指示があった場合、解像度設定画像データ１３５に基づき、解像度設定画像を生成し、投写部１９０は、当該解像度設定画像を投写する（ステップＳ３）。
【００３０】
図４は、第１の実施例における解像度設定画像３２０の一例を示す図である。また、図５は、第１の実施例における解像度設定画像３２１の他の一例を示す図である。解像度設定画像３２０では、一般的な解像度を示す複数の選択肢と、ユーザが任意の解像度を指定するための「解像度指定」選択肢が表示される。ユーザは、プロジェクタ１００のリモコンを操作して所望の選択肢を選択する。
【００３１】
例えば、ユーザが「解像度指定」を選択した場合、画像生成部１６０は、図５に示す解像度設定画像３２１を生成し、投写部１９０は、解像度設定画像３２１を投写する。なお、ユーザが「８００×６００」等の「解像度指定」以外の選択肢を選択した場合、解像度設定画像３２１は投写されない。
【００３２】
解像度設定画像３２１は、４８０から１９２０まで水平方向の解像度を任意に設定でき、３００から１２００まで垂直方向の解像度を任意に設定できるように形成されている。なお、指定方法は、スライドバーを移動させる方法、数値を直接入力する方法、画像の大きさを示す枠の大きさを変更する方法等を採用可能である。なお、本実施例では、ユーザは、水平方向の解像度を４８０に設定し、垂直方向の解像度を３００に設定するものとする。
【００３３】
情報入力部１２０は、解像度の設定操作に応じた設定解像度を示す設定解像度情報を入力し（解像度の設定操作に応じて情報入力部１２０が生成してもよい。）、設定解像度データ１３３として記憶部１３０に記憶する（ステップＳ４）。
【００３４】
相違判定部１５０は、実解像度データ１３２と設定解像度データ１３３を比較する（ステップＳ５）。より具体的には、例えば、相違判定部１５０は、実解像度の合計画素数と設定解像度の合計画素数を比較し、大きい方の合計画素数を小さい方の合成画素数で割った値を相違度とする。例えば、本実施例では、実解像度の合計画素数は、１０２４×７６８＝７８６４３２であり、設定解像度の合計画素数は、８００×３００＝２４００００である。この場合、相違度は、約３．２８になる。
【００３５】
そして、相違判定部１５０は、相違度が第１の基準値以下であるかどうかを判定する（ステップＳ６）。本実施例では、第１の基準値は２であるものとする。なお、相違度の演算方法や基準値の値は任意である。
【００３６】
本実施例では、相違度は２以下ではないため、相違判定部１５０は、実解像度データ１３２を決定解像度データ１３４として記憶部１３０に記憶する（ステップＳ８）。すなわち、相違度が２より大きい場合、実解像度と設定解像度の差が２倍以上であるため、設定解像度で設定画像３１０を表示しても、情報の欠落が多くなってしまったり、初期画像３００に占める設定画像３１０の割合が非常に小さくなってしまったりする。
【００３７】
図６は、第１の実施例における元の解像度の設定画像３１０を示す図である。また、図７は、第１の実施例における設定解像度の設定画像３１１を示す図である。例えば、設定画像３１０は、水平方向１０２４画素、垂直方向７６８画素であり、設定画像３１１は、水平方向８００画素、垂直方向３００画素である。この場合、設定解像度で表示された設定画像３１１では、元の設定画像３１０と比べて内容が大きく異なってしまっている。
【００３８】
プロジェクタ１００は、このようなユーザにとってデメリットが大きいと判断される場合は、ユーザが設定解像度を誤って設定した可能性が高いため、設定解像度ではなく実解像度を用いる。
【００３９】
一方、相違度が第１の基準値以下である場合、相違判定部１５０は、設定解像度データ１３３を決定解像度データ１３４として記憶部１３０に記憶する（ステップＳ７）。すなわち、実解像度と設定解像度の相違が少ない場合は、プロジェクタ１００は、設定解像度を用いる。
【００４０】
プロジェクタ１００は、以上の処理により、設定画像３１０を含む初期画像３００を投写するための準備を完了する。次に、準備段階後の通常画像の投写段階での処理手順について説明する。なお、本実施例では、初期画像３００は、プロジェクタ１００の起動時に投写されるものとする。
【００４１】
図８は、第１の実施例における通常画像の投写段階での処理手順を示すフローチャートである。画像生成部１６０は、プロジェクタ１００が起動したかどうかを判定する（ステップＳ１１）。プロジェクタ１００が起動した場合、画像生成部１６０は、決定解像度データ１３４、設定画像データ１３１に基づき、決定解像度で設定画像３１０を生成する（ステップＳ１２）。
【００４２】
そして、画像生成部１６０は、設定画像３１０を含む初期画像３００を生成し、投写部１９０は、初期画像３００を投写する（ステップＳ１３）。これにより、プロジェクタ１００は、ユーザに対して通常の画像に先立ってユーザロゴ等を示すことができる。
【００４３】
初期画像３００の投写後、画像生成部１６０は、ＰＣから画像データ入力部１１０に入力される通常の画像信号に基づき、通常の画像を生成し、投写部１９０は、当該通常の画像を投写する（ステップＳ１４）。
【００４４】
以上のように、本実施例によれば、プロジェクタ１００は、記憶部１３０に記憶された設定画像データ１３１に基づく設定画像３１０を投写する場合に、ユーザの所望の設定解像度で設定画像３１０を投写することができる。また、本実施例によれば、更新可能な設定画像データ１３１に基づく設定画像３１０を投写する場合に、所望の設定解像度で設定画像３１０を投写することができる。これにより、ユーザは、従来のプロジェクタのように固定的な解像度に合わせてユーザロゴ画像を生成する必要がなくなり、自由な解像度でユーザロゴ画像を生成し、当該解像度でプロジェクタ１００に設定画像３１０を投写させることができる。
【００４５】
また、本実施例によれば、解像度判定部１４０が設定画像データ１３１の解像度を判定することにより、プロジェクタ１００は、プロジェクタ１００の販売時には存在しなかった解像度の設定画像データ１３１が入力された場合であっても適切な解像度で設定画像３１０を投写することができる。
【００４６】
また、本実施例によれば、プロジェクタ１００は、解像度の相違度を基準値と比較して適用する解像度を決定することにより、画質の劣化や情報の欠落を抑制しつつ、所望の設定解像度または元の設定画像３１０の解像度で画像を投写することができる。
【００４７】
（第２の実施例）
第１の実施例では、プロジェクタ１００は、準備段階で設定画像３１０に適用する解像度を決定したが、画像の投写段階で当該解像度を決定してもよい。また、相違度の判定は、水平方向の解像度、垂直方向の解像度のそれぞれに対して行われてもよい。次に、プロジェクタ１００が、画像の投写段階で設定画像３１０に適用する解像度を決定し、水平方向の解像度、垂直方向の解像度のそれぞれに対して相違度の判定を行う実施例について説明する。
【００４８】
図９は、第２の実施例における準備段階での処理手順を示すフローチャートである。画像データ入力部１１０は、ＰＣから設定画像データ１３１を入力し、記憶部１３０に記憶する（ステップＳ２１）。画像生成部１６０は、ＰＣから解像度の設定指示があった場合、解像度設定画像データ１３５に基づき、解像度設定画像を生成し、投写部１９０は、当該解像度設定画像を投写する（ステップＳ２２）。
【００４９】
情報入力部１２０は、解像度の設定操作に応じた設定解像度を示す設定解像度情報を入力し、設定解像度データ１３３として記憶部１３０に記憶する（ステップＳ２３）。
【００５０】
以上の処理により、プロジェクタ１００は、設定画像データ１３１、設定解像度データ１３３を記憶部１３０に記憶することができる。次に、通常画像の投写段階での処理手順について説明する。
【００５１】
図１０は、第２の実施例における通常画像の投写段階での処理手順を示すフローチャートである。解像度判定部１４０は、プロジェクタ１００が起動したかどうかを判定する（ステップＳ３１）。プロジェクタ１００が起動した場合、解像度判定部１４０は、設定画像データ１３１に基づき、設定画像３１０の実解像度を判定し、実解像度データ１３２として記憶部１３０に記憶する（ステップＳ３２）。
【００５２】
相違判定部１５０は、実解像度データ１３２と設定解像度データ１３３を比較する（ステップＳ３３）。具体的には、相違判定部１５０は、水平方向の相違度が第２の基準値以下かどうかを判定し（ステップＳ３４）、水平方向の相違度が第２の基準値以下の場合、垂直方向の相違度が第３の基準値以下かどうかを判定する（ステップＳ３５）。
【００５３】
より具体的には、例えば、相違判定部１５０は、実解像度の水平方向または垂直方向の画素数と、設定解像度の水平方向または垂直方向の画素数を比較し、大きい方の画素数を小さい方の画素数で割った値を相違度とする。なお、本実施例では、第２の基準値および第３の基準値は２であるものとする。
【００５４】
例えば、本実施例では、実解像度の水平方向の画素数は１０２４であり、設定解像度の水平方向の画素数は８００であり、相違度は１．２８になり、水平方向の相違度は第２の基準値以下である。一方、実解像度の垂直方向の画素数は７６８であり、設定解像度の垂直方向の画素数は３００であり、相違度は２．５６になり、垂直方向の相違度は第３の基準値を超えている。
【００５５】
水平方向の相違度が第２の基準値を超えている場合または垂直方向の相違度が第３の基準値を超えている場合、画像生成部１６０は、設定画像データ１３１、実解像度データ１３２に基づき、実解像度で設定画像３１０を生成する（ステップＳ３７）。
【００５６】
一方、水平方向の相違度が第２の基準値以下であり、かつ、垂直方向の相違度が第３の基準値以下である場合、画像生成部１６０は、設定画像データ１３１、設定解像度データ１３３に基づき、設定解像度で設定画像３１０を生成する（ステップＳ３６）。
【００５７】
そして、画像生成部１６０は、設定画像３１０を含む初期画像３００を生成し、投写部１９０は、初期画像３００を投写する（ステップＳ３８）。初期画像３００の投写後、画像生成部１６０は、ＰＣから画像データ入力部１１０に入力される通常の画像信号に基づき、通常の画像を生成し、投写部１９０は、当該通常の画像を投写する（ステップＳ３９）。
【００５８】
以上のように、本実施例によれば、プロジェクタ１００は、第１の実施例と同様の作用効果を奏する。また、本実施例によれば、プロジェクタ１００は、決定解像度データ１３４等を記憶することなく、処理を実行することができる。
【００５９】
また、第１の実施例の場合、水平方向の設定解像度が実解像度の２倍以上異なったり、垂直方向の設定解像度が実解像度の２倍以上異なったりする場合であっても、相違度が第１の基準値以下になる場合があり得るが、本実施例によれば、プロジェクタ１００は、これらの場合も相違度が第２の基準値または第３の基準値を超えると判定することができるため、より適切に設定解像度と実解像度の相違を判定することができる。
【００６０】
（その他の実施例）
なお、本発明の適用は上述した実施例に限定されず、種々の変形が可能である。例えば、情報入力部１２０は、ＰＣ等から上述した基準値を示す情報を入力し、相違判定部１５０は入力された基準値を用いて上述した判定を行ってもよい。これによれば、プロジェクタ１００は、ユーザのプロジェクタ１００の使い勝手（ユーザビリティ）を向上させることができる。
【００６１】
例えば、第２の実施例において、設定画像３１０に含まれる図形や文字列が横長の場合、設定解像度と実解像度が、垂直方向において異なっている場合は問題ないが、水平方向において異なっている場合は当該図形や文字列の一部が欠落してしまう。このような場合、ユーザが、第２の基準値を（第３の基準値に比べて）小さい値に設定し、プロジェクタ１００が入力された基準値を用いて上述した判定を行うことにより、情報の欠落を防止することができる。
【００６２】
また、設定解像度は初期画像３００の解像度を示すものでもよい。すなわち、例えば、設定画像３１０が初期画像３００の一部ではなく全部である場合、プロジェクタ１００は、初期画像３００の設定解像度を対象として上述した判定等を行ってもよい。
【００６３】
また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。
【図面の簡単な説明】
【００６４】
【図１】第１の実施例における初期画像の投写状況を示す図である。
【図２】第１の実施例におけるプロジェクタの機能ブロック図である。
【図３】第１の実施例における準備段階での処理手順を示すフローチャートである。
【図４】第１の実施例における解像度設定画像の一例を示す図である。
【図５】第１の実施例における解像度設定画像の他の一例を示す図である。
【図６】第１の実施例における元の解像度の設定画像を示す図である。
【図７】第１の実施例における設定解像度の設定画像を示す図である。
【図８】第１の実施例における通常画像の投写段階での処理手順を示すフローチャートである。
【図９】第２の実施例における準備段階での処理手順を示すフローチャートである。
【図１０】第２の実施例における通常画像の投写段階での処理手順を示すフローチャートである。
【符号の説明】
【００６５】
１０  スクリーン、１００  プロジェクタ、１１０  画像データ入力部、１２０  情報入力部、１３０  記憶部、１３１  設定画像データ、１３２  実解像度データ、１３３  設定解像度データ、１３４  決定解像度データ、１３５  解像度設定画像データ、１４０  解像度判定部、１５０  相違判定部、１６０  画像生成部、１９０  投写部、２００  情報記憶媒体、３００  初期画像、３１０〜３１２  設定画像、３２０、３２１  解像度設定画像
【図２】
0005382284.tif 000002
【図３】
0005382284.tif 000003
【図４】
0005382284.tif 000004
【図５】
0005382284.tif 000005
【図８】
0005382284.tif 000006
【図９】
0005382284.tif 000007
【図１０】
0005382284.tif 000008
【図１】
0005382284.tif 000009
【図６】
0005382284.tif 000010
【図７】
0005382284.tif 000011